(57)【特許請求の範囲】
【請求項１】
１枚の紙素材から型抜きされ、複数の折線を折り返し形成される複数片よりなる収納体を構成し、ディスク状記録媒体を挿脱自在に収納するディスク状記録媒体用パッケージであって、
上記複数片は、ディスク状記録媒体の背面に対向するディスク状記録媒体背面片と、
折線を折り返し上記ディスク状記録媒体背面片に重ね合わされ且つディスク状記録媒体を載置するディスク状記録媒体載置片と、
上記ディスク状記録媒体載置片に載置されたディスク状記録媒体の表示面を露出する窓部とディスク状記録媒体の切り欠き挿入口を有し且つ折線を折り返し上記ディスク状記録媒体載置片に重ね合わされる枠体片と、
上記枠体片の窓部に露出されるディスク状記録媒体の表示面を覆うよう折線を折り返し上記枠体片に重ね合わされるディスク状記録媒体上面片とが一体に形成されており、
上記枠体片は、両サイドに第１ののりしろを有し且つ上記ディスク状記録媒体背面片の裏面に上記第１ののりしろを貼着して上記切り欠き挿入口からディスク状記録媒体が挿入されたときディスク状記録媒体の表示面が上記窓部に露出されるように収納される収納部を形成し、
上記ディスク状記録媒体の切り欠き挿入口の下地となる上記ディスク状記録媒体載置片は、露出している部分から段差なくディスク状記録媒体を挿脱させることができる
ことを特徴とするディスク状記録媒体用パッケージ。
【請求項２】
上記ディスク状記録媒体上面片は、当該ディスク状記録媒体上面片の両サイドに配置される第２ののりしろと、折線を折り返し上記ディスク状記録媒体上面片の面上にポケット部を形成するポケット片とを更に有し、
上記第２ののりしろに上記ポケット片を貼着してポケット部を形成する
ことを特徴とする請求項１記載のディスク状記録媒体用パッケージ。
【請求項３】
上記ディスク状記録媒体載置片が上記ディスク状記録媒体背面片に重ね合わされたときに外部に露出している上記ディスク状記録媒体背面片の１面と、
上記ディスク状記録媒体載置片が上記ディスク状記録媒体背面片に重ね合わされたときに外部に露出している上記ディスク状記録媒体載置片の１面と、
上記枠体片が上記ディスク状記録媒体載置片に重ね合わされたときに外部に露出している上記枠体片の１面と、
上記ディスク状記録媒体上面片が上記ディスク状記録媒体の表示面を覆うよう折線を折り返し上記枠体片に重ね合わされたときに外部に露出している上記ディスク状記録媒体上面片の１面と、
が上記１枚の紙素材の同一面である
ことを特徴とする請求項１記載のディスク状記録媒体用パッケージ。
【発明の詳細な説明】
【０００１】
【発明の属する技術分野】
本発明は、ディスク状記録媒体を挿脱自在に収納可能なディスク状記録媒体用パッケージに係り、特に、リサイクル可能な１枚の紙素材からなり複数の折線を夫々折り返し、複数片よりなる収納体を構成するようにしたディスク状記録媒体用パッケージに関する。
【０００２】
【従来の技術】
従来、ＣＤの包装体としてＣＤを挿入する封筒の前面側にＣＤの表示面を透視する窓部を設けたＣＤレーベル用窓付封筒が知られている（例えば特許文献１参照。）。
このＣＤレーベル用窓付封筒は、封筒本体をリサイクル可能な紙素材にて形成するとともに、ＣＤ表示面を透視する窓部を封筒本体の前面側に開口した丸窓とし、リサイクル可能な紙素材からなるセロファン等の透明又は半透明の合成樹脂シート（フィルム）が貼着されている。
又、三つ折りにした台紙の左右いずれかの一方の片に半円弧の切り込みを設け、この片を折り込んで中央片に重ね周縁を貼着し、この切り込みにＣＤを差込んで保持し、左右のいずれかの他方の片をＣＤの表示面に重ねてＣＤを包装するものが知られている。
【０００３】
【特許文献１】
特開２００２−２９５８８号公報（図１、図２）
【０００４】
【発明が解決しようとする課題】
しかしながら、特許文献１に記載のＣＤレーベル用窓付封筒は、封筒本体とフィルムとで別の紙素材を使うこととなり２種の紙素材を用意しなければならず煩雑であると共に、フィルムを封筒本体に貼着することで貼着部分を２重構造としなければならないという問題があった。
【０００５】
また、三つ折りにした台紙の左右いずれかの一方の片に半円弧の切り込みを設け、この切り込みにＣＤを差込んで保持し、左右のいずれかの他方の片をＣＤの表示面に重ねてＣＤを包装する従来のものでは、ＣＤを半円弧の切り込みに差し込むとＣＤの表示面が略半分隠れて見えなくなるという問題があった。
【０００６】
更に、半円弧の切込みを設けた台紙の１片は、切込みによって生じた切込み片をつまみ持ち上げる際に、この台紙の１片が重なる下地となっている台紙の中央片の表面に切込み片の厚さ分だけ段差が生じてしまい、この段差がＣＤを半円弧の切込みに出し入れする際に段差の角縁でＣＤの記録面を擦り傷つけるおそれがあった。
【０００７】
本発明は、上記の従来技術の問題点を解決するためになされたものであり、リサイクル可能な１枚の紙素材からなり、複数の折線を折り返し複数片よりなる収納体を構成し、一片にディスク状記録媒体の表示面を露出する窓部を有してディスク状記録媒体を挿脱自在に収納するディスク状記録媒体パッケージを提供することを目的としている。
【０００８】
【課題を解決するための手段】
上述したような課題を解決し、上記目的を達成するため、本出願の請求項１記載のディスク状記録媒体パッケージは、１枚の紙素材から型抜きされ、複数の折線を折り返し形成される複数片よりなる収納体を構成し、ディスク状記録媒体を挿脱自在に収納するディスク状記録媒体用パッケージであって、複数片は、ディスク状記録媒体の背面に対向するディスク状記録媒体背面片と、折線を折り返しディスク状記録媒体背面片に重ね合わされ且つディスク状記録媒体を載置するディスク状記録媒体載置片と、そのディスク状記録媒体載置片に載置されたディスク状記録媒体の表示面を露出する窓部とディスク状記録媒体の切り欠き挿入口を有し且つ折線を折り返しディスク状記録媒体載置片に重ね合わされる枠体片と、その枠体片の窓部に露出されるディスク状記録媒体の表示面を覆うよう折線を折り返し枠体片に重ね合わされるディスク状記録媒体上面片とが一体に形成されており、枠体片は、両サイドに第１ののりしろを有し且つディスク状記録媒体背面片の裏面に第１ののりしろを貼着して切り欠き挿入口からディスク状記録媒体が挿入されたときディスク状記録媒体の表示面が窓部に露出されるように収納される収納部を形成し、ディスク状記録媒体の切り欠き挿入口の下地となるディスク状記録媒体載置片は、露出している部分から段差なくディスク状記録媒体を挿脱させることができることを特徴としている。
【０００９】
上述のように構成したことにより、本出願の請求項１記載のディスク状記録媒体用パッケージによれば、１枚の紙素材を型抜きし複数の折線を折り返し複数片よりなる収納体を構成し、一片にディスク状記録媒体の表示面を露出する略円形の窓部を有してディスク状記録媒体を挿脱自在に収納できるので窓部にはディスク状記録媒体の前表面全体が隠れることなく確実に表示内容を読み取ることができる。
【００１０】
また、窓部は、フィルムで覆うことがなく開放されていてディスク状記録媒体の包装体としては１枚の型抜きされた紙素材で構成できるので製造工程が少なくて済み、製造コストも安くなる。
【００１１】
更に、枠体片を折り返しディスク状記録媒体載置片に重ね合わせた後、枠体片の両サイドに形成されている第１ののりしろ部分をディスク状記録媒体背面片の裏面に貼着することでディスク状記録媒体の挿入口を形成し、このディスク状記録媒体挿入口から段差のないディスク状記録媒体載置片の表面上にディスク状記録媒体の記録面を傷つけることなくディスク状記録媒体を出し入れできる。同時にディスク状記録媒体が挿入されたときディスク状記録媒体の表示面が窓部に直接露出されるので表示面に記載されている表示事項全体を容易に読み取ることができる。
【００１２】
本出願の請求項２記載のディスク状記録媒体用パッケージは、ディスク状記録媒体上面片は、そのディスク状記録媒体上面片の両サイドに配置される第２ののりしろと、折線を折り返しディスク状記録媒体上面片の面上にポケット部を形成するポケット片とを更に有し、第２ののりしろにポケット片を貼着してポケット部を形成することを特徴としている。
【００１３】
本出願の請求項３記載のディスク状記録媒体用パッケージは、ディスク状記録媒体載置片がディスク状記録媒体背面片に重ね合わされたときに外部に露出しているディスク状記録媒体背面片の１面と、ディスク状記録媒体載置片がディスク状記録媒体背面片に重ね合わされたときに外部に露出しているディスク状記録媒体載置片の１面と、枠体片がディスク状記録媒体載置片に重ね合わされたときに外部に露出している枠体片の１面と、ディスク状記録媒体上面片がディスク状記録媒体の表示面を覆うよう折線を折り返し枠体片に重ね合わされたときに外部に露出しているディスク状記録媒体上面片の１面と、が１枚の紙素材の同一面であることを特徴としている。
【００１４】
本出願の請求項２記載のディスク状記録媒体用パッケージによれば、ディスク状記録媒体上面片が両サイドに第２ののりしろを有し、これら第２ののりしろにポケット片を貼着することにより、ポケット部を形成することができる。
【００１５】
本出願の請求項３記載のディスク状記録媒体用パッケージによれば、ディスク状記録媒体背面片の１面とディスク状記録媒体載置片の１面と枠体片の１面とディスク状記録媒体上面片の１面とが１枚の紙素材の同一面によって形成される。
【００１６】
【発明の実施の形態】
以下、本発明の実施の形態を添付図面を参照して説明する。図１は、本発明の一実施の形態を示すディスク状記録媒体用パッケージの展開図、図２は、図１に示す本発明のディスク状記録媒体用パッケージの複数の構成片を折線に沿って折り返す過程を示す斜視図、図３は組立て構成された収納部にディスク状記録媒体を挿入した状態を示すパッケージの平面図である。
【００１７】
図１は、本発明の一実施の形態を示すディスク状記録媒体用パッケージの展開図を示し、リサイクル可能な１枚の紙素材から型抜きをして形成される。型抜きされた紙素材１０は複数の構成片よりなり、これら構成片を折り曲げ組み立ててディスク状記録媒体収納体を構成する。
【００１８】
複数の構成片からなるディスク状記録媒体収納体は、挿入されるディスク状記録媒体の背面に対向するディスク状記録媒体背面片１１に対して折線３０で折り返してディスク状記録媒体背面片１１に重なるディスク状記録媒体載置片１２と、折線３１で折り返してディスク状記録媒体載置片１２に重なる枠体片１３と、折線３２で折り返して載置されたディスク状記録媒体の上面に対向するディスク状記録媒体上面片１４と、折線３３で折り返してディスク状記録媒体上面片１４に重なりポケット部を形成するポケット片１５とから構成される。
【００１９】
ディスク状記録媒体載置片１２は、先端の一角であってディスク状記録媒体背面片１１に重なった時ディスク状記録媒体の挿入口の下地となり露出される円弧部分１６が形成される。
【００２０】
枠体片１３は、略中央を型抜きして挿入されたディスク状記録媒体の表示面を露出する略円形の窓部１７が形成される。枠体片１３の幅方向の両サイドには第１ののりしろ１８，１９が形成され残りのサイドは切り欠き部２０が形成される。枠体片１３がディスク状記録媒体載置片１２に重なると切り欠き部２０は、その下地となるディスク状記録媒体載置片１２の円弧部分１６が露出されてディスク状記録媒体挿入口となり、このディスク状記録媒体載置片１２の露出部分にディスク状記録媒体の先端を当てながら挿入すれば滑らかに挿入され、収納された後に取り出す際にも途中に段差がないので滑らかに支障なくディスク状記録媒体を取り出すことができる。
【００２１】
窓部１７は略円形に形成され、挿入されたディスク状記録媒体がディスク状記録媒体載置片１２上に置かれたときディスク状記録媒体の表面に記載された表示内容は全面を目視でき確実に読み取ることができる。
【００２２】
第１ののりしろ１８，１９は、ディスク状記録媒体載置片１２上に枠体片１３を重ね合わせた後、折線３４，３５を夫々折り返してディスク状記録媒体背面片１１の裏面に貼着する。
【００２３】
ディスク状記録媒体上面片１４の幅方向の両サイドに部分的に第２ののりしろ２１，２２を形成し折線３６，３７で折り返した後その第２ののりしろの背面にポケット片１５を貼着する。ポケット片１５は、ポケット口となる辺を緩やかな湾曲形状２３に形成にする。ポケット形成後ポケット口から２個目のディスク状記録媒体又は仕様書など任意の書類を収納できる。
【００２４】
次に、図２を参照して、図１に示す本発明のディスク状記録媒体用パッケージの複数の構成片を折線に沿って折り返す過程を示す斜視図について説明する。
【００２５】
図２は、ディスク状記録媒体載置片１２が折線３０を折りディスク状記録媒体背面片１１に重ね合わされる途中の状態を示している。
また、先にディスク状記録媒体背面片１１に重ね合わされたディスク状記録媒体載置片１２の表面との間にディスク状記録媒体収納空間が生じるように重ねディスク状記録媒体の収納部分を形成するための枠体片１３が折線３１に沿って折り返される過程が示されている。
【００２６】
上述したようにディスク状記録媒体の収納部分が形成され、枠体片１３の切り欠き部２０を有するディスク状記録媒体挿入口からディスク状記録媒体が挿入され、ディスク状記録媒体の表面の表示内容が枠体片１３の窓部１７に露出するまで挿入され納まると枠体片１３の窓部１７をディスク状記録媒体上面片１４で覆うように折線３２を折る過程が図示されている。
【００２７】
ポケット片１５は折線３３で折り返されディスク状記録媒体上面片１４に重なりポケット部を形成する途中の形態が図示されている。
かくして、ディスク状記録媒体載置片１２がディスク状記録媒体背面片１１に重ね合わされたときに外部に露出しているディスク状記録媒体背面片１１の１面と、ディスク状記録媒体載置片１２がディスク状記録媒体背面片１１に重ね合わされたときに外部に露出しているディスク状記録媒体載置片１２の１面と、枠体片１３がディスク状記録媒体載置片１２に重ね合わされたときに外部に露出している枠体片１３の１面と、ディスク状記録媒体上面片１４がディスク状記録媒体の表示面を覆うよう折線を折り返し枠体片１３に重ね合わされたときに外部に露出しているディスク状記録媒体上面片１４の１面と、が１枚の紙素材の同一面として形成されている。
【００２８】
次に、図３を参照してディスク状記録媒体が収納部分に納められた状態を説明する。
枠体片１３がディスク状記録媒体載置片１２に重ね合わされ、第１ののりしろ１８，１９を折り返しディスク状記録媒体背面片１１に貼着し、ディスク状記録媒体載置片１２と枠体片１３との間の空間にディスク状記録媒体４０が収納される収納体を構成する。
このとき、枠体片１３の切り欠き部２０は、その下地にディスク状記録媒体載置片１２の円弧部分１６の表面の一部が露出されたディスク状記録媒体挿入口となる。
【００２９】
また、ディスク状記録媒体４０が収納された状態では、枠体片１３の窓部１７にディスク状記録媒体４０の表面が開示されることになりディスク状記録媒体４０の表面の全面に記載されている文字や模様などを一見することができる。
【００３０】
ディスク状記録媒体上面片１４の第２ののりしろ２１，２２を折り返しその背面にポケット片１５を貼着する。ポケット片１５は、ポケット口となる辺を緩やかな湾曲形状２３に形成してある。ポケット形成後ポケット口から２個目のディスク状記録媒体又は仕様書など任意の書類を収納できる。
【００３１】
【発明の効果】
以上説明したように、本出願のディスク状記録媒体用パッケージによれば、リサイクル可能な１枚の紙素材を複数の折線を折り返し複数片よりなる収納体を構成し、一片にディスク状記録媒体の表示面を露出する略円形の窓部を有してディスク状記録媒体を挿脱自在に収納できるので窓部にはディスク状記録媒体の前表面全体が隠れることなく確実に表示内容を読み取ることができる。
また、窓部は、フィルムで覆うことがなく開放されていてディスク状記録媒体の包装体としては１種のリサイクル可能な１枚の紙素材で構成できるので製造工程が少なくて済み、製造コストも安くなる。
更に、枠体片を折り返しディスク状記録媒体載置片に重ね合わせた後、枠体片の両サイドに形成されている第１ののりしろ部分をディスク状記録媒体背面片の裏面に貼着することでディスク状記録媒体の挿入口を形成し、このディスク状記録媒体挿入口から段差のないディスク状記録媒体載置片の表面上に接しディスク状記録媒体の記録面を傷つけることなくディスク状記録媒体を出し入れできる。同時にディスク状記録媒体が挿入されたときディスク状記録媒体の表示面が窓部に直接露出されるので表示面に記載されている表示事項全体を容易に読み取ることができる。
【図面の簡単な説明】
【図１】  本発明の一実施の形態を示すディスク状記録媒体用パッケージの展開図である。
【図２】  図１に示すディスク状記録媒体用パッケージの複数の構成片を折線に沿って折り返す過程を示す斜視図である。
【図３】  図３は組立て構成された収納部にディスク状記録媒体を挿入した状態を示すパッケージの平面図である。
【符号の説明】
１０  紙素材、  １１  ディスク状記録媒体背面片、  １２  ディスク状記録媒体載置片、  １３ 枠体片、  １４  ディスク状記録媒体上面片、  １５ ポケット片、  １６  ディスク状記録媒体載置片の円弧部分、  １７ 窓部、  １８，１９  第１ののりしろ、  ２１，２２  第２ののりしろ、  ２０ 切り欠き部、  ３０，３１，３２，３３，３４，３５，３６，３７  折線、  ４０  ディスク状記録媒体
【図１】
0003894128.tif 000002
【図２】
0003894128.tif 000003
【図３】
0003894128.tif 000004